【手続補正書】
【提出日】平成16年12月16日(2004.12.16)
【手続補正１】
【補正対象書類名】明細書
【補正対象項目名】特許請求の範囲
【補正方法】変更
【補正の内容】
【特許請求の範囲】
【請求項１】
基板上に配置されゲート電極領域を含む複数本の走査線及び前記走査線と略平行な補助容量線と、この上に配置される第１絶縁膜、少なくとも前記ゲート電極領域上に配置される半導体膜、前記半導体膜に電気的に接続されるソース電極及びドレイン電極とを含む薄膜トランジスタと、前記薄膜トランジスタ上に配置される第２絶縁膜と、前記ドレイン電極に電気的に接続されると共に前記走査線と略直交する信号線と、前記ソース電極と電気的に接続される画素電極とを備えた表示装置用アレイ基板において、
前記第１絶縁膜を介して前記補助容量線と略直交する方向に配線された束ね配線を含み、
前記補助容量線と前記束ね配線とを導電層を介して電気的に接続する補助容量線連結部を含む
ことを特徴とする表示装置用アレイ基板。
【請求項２】
前記束ね配線は前記信号線と同一材料からなり、
前記導電層は前記画素電極と同一材料からなる
ことを特徴とする請求項１記載の表示装置用アレイ基板。
【請求項３】
前記半導体膜と前記ソース電極及びドレイン電極との間には低抵抗半導体膜が介挿され、前記交差領域における前記信号線と前記半導体層との間には前記低抵抗半導体膜と同一材料からなる低抵抗半導体層が介在されている
ことを特徴とする請求項１記載の表示装置用アレイ基板。
【請求項４】
前記半導体膜がアモルファスシリコンを主体とした
ことを特徴とする請求項１記載の表示装置用アレイ基板。
【請求項５】
基板上に配置されゲート電極領域を含む複数本の走査線及び前記走査線と略平行な補助容量線と、この上に配置されるゲート絶縁膜、少なくとも前記ゲート電極領域上に配置される半導体膜、前記半導体膜に電気的に接続されるソース電極及びドレイン電極とを含む薄膜トランジスタと、前記薄膜トランジスタ上に配置される層間絶縁膜と、前記ドレイン電極に電気的に接続されると共に前記走査線と略直交する信号線と、前記ソース電極と電気的に接続される画素電極とを備えた表示装置用アレイ基板において、
前記ゲート絶縁膜を介して前記補助容量線と略直交する方向に配線された束ね配線を含み、
前記補助容量線と前記束ね配線とを導電層を介して電気的に接続する補助容量線連結部を含む
ことを特徴とする表示装置用アレイ基板。
【請求項６】
前記束ね配線は前記信号線と同一材料からなり、
前記導電層は前記画素電極と同一材料からなる
ことを特徴とする請求項５記載の表示装置用アレイ基板。
【請求項７】
基板上に配置されゲート電極領域を含む複数本の走査線及び前記走査線と略平行な補助容量線と、この上に配置される第１絶縁膜、少なくとも前記ゲート電極領域上に配置される半導体膜、前記半導体膜に電気的に接続されるソース電極及びドレイン電極とを含む薄膜トランジスタと、前記薄膜トランジスタ上に配置される第２絶縁膜と、前記ドレイン電極に電気的に接続されると共に前記走査線と略直交する信号線と、前記ソース電極と電気的に接続される画素電極とを備えたアレイ基板を有した液晶表示装置において、
前記第１絶縁膜を介して前記補助容量線と略直交する方向に配線された束ね配線を含み、
前記補助容量線と前記束ね配線とを導電層を介して電気的に接続する補助容量線連結部を含む
ことを特徴とする液晶表示装置。
【請求項８】
前記束ね配線は前記信号線と同一材料からなり、
前記導電層は前記画素電極と同一材料からなる
ことを特徴とする請求項７記載の液晶表示装置。
【請求項９】
前記半導体膜と前記ソース電極及びドレイン電極との間には低抵抗半導体膜が介挿され、前記交差領域における前記信号線と前記半導体層との間には前記低抵抗半導体膜と同一材料からなる低抵抗半導体層が介在されている
ことを特徴とする請求項７記載の液晶表示装置。
【請求項１０】
前記半導体膜がアモルファスシリコンを主体とした
ことを特徴とする請求項７記載の液晶表示装置。
【請求項１１】
基板上に配置されゲート電極領域を含む複数本の走査線及び前記走査線と略平行な補助容量線と、この上に配置されるゲート絶縁膜、少なくとも前記ゲート電極領域上に配置される半導体膜、前記半導体膜に電気的に接続されるソース電極及びドレイン電極とを含む薄膜トランジスタと、前記薄膜トランジスタ上に配置される層間絶縁膜と、前記ドレイン電極に電気的に接続されると共に前記走査線と略直交する信号線と、前記ソース電極と電気的に接続される画素電極とを備えたアレイ基板を有した液晶表示装置において、
前記ゲート絶縁膜を介して前記補助容量線と略直交する方向に配線された束ね配線を含み、
前記補助容量線と前記束ね配線とを導電層を介して電気的に接続する補助容量線連結部を含む
ことを特徴とする液晶表示装置。
【請求項１２】
前記束ね配線は前記信号線と同一材料からなり、
前記導電層は前記画素電極と同一材料からなる
ことを特徴とする請求項１１記載の液晶表示装置。
【手続補正２】
【補正対象書類名】明細書
【補正対象項目名】００１６
【補正方法】変更
【補正の内容】
【００１６】
請求項１に係る発明は、基板上に配置されゲート電極領域を含む複数本の走査線及び前記走査線と略平行な補助容量線と、この上に配置される第１絶縁膜、少なくとも前記ゲート電極領域上に配置される半導体膜、前記半導体膜に電気的に接続されるソース電極及びドレイン電極とを含む薄膜トランジスタと、前記薄膜トランジスタ上に配置される第２絶縁膜と、前記ドレイン電極に電気的に接続されると共に前記走査線と略直交する信号線と、前記ソース電極と電気的に接続される画素電極とを備えた表示装置用アレイ基板において、前記第１絶縁膜を介して前記補助容量線と略直交する方向に配線された束ね配線を含み、前記補助容量線と前記束ね配線とを導電層を介して電気的に接続する補助容量線連結部を含むことを特徴とする表示装置用アレイ基板である。
【手続補正３】
【補正対象書類名】明細書
【補正対象項目名】００１７
【補正方法】変更
【補正の内容】
【００１７】
請求項５に係る発明は、基板上に配置されゲート電極領域を含む複数本の走査線及び前記走査線と略平行な補助容量線と、この上に配置されるゲート絶縁膜、少なくとも前記ゲート電極領域上に配置される半導体膜、前記半導体膜に電気的に接続されるソース電極及びドレイン電極とを含む薄膜トランジスタと、前記薄膜トランジスタ上に配置される層間絶縁膜と、前記ドレイン電極に電気的に接続されると共に前記走査線と略直交する信号線と、前記ソース電極と電気的に接続される画素電極とを備えた表示装置用アレイ基板において、前記ゲート絶縁膜を介して前記補助容量線と略直交する方向に配線された束ね配線を含み、前記補助容量線と前記束ね配線とを導電層を介して電気的に接続する補助容量線連結部を含むことを特徴とする表示装置用アレイ基板である。
【手続補正４】
【補正対象書類名】明細書
【補正対象項目名】００１８
【補正方法】変更
【補正の内容】
【００１８】
請求項７に係る発明は、基板上に配置されゲート電極領域を含む複数本の走査線及び前記走査線と略平行な補助容量線と、この上に配置される第１絶縁膜、少なくとも前記ゲート電極領域上に配置される半導体膜、前記半導体膜に電気的に接続されるソース電極及びドレイン電極とを含む薄膜トランジスタと、前記薄膜トランジスタ上に配置される第２絶縁膜と、前記ドレイン電極に電気的に接続されると共に前記走査線と略直交する信号線と、前記ソース電極と電気的に接続される画素電極とを備えたアレイ基板を有した液晶表示装置において、前記第１絶縁膜を介して前記補助容量線と略直交する方向に配線された束ね配線を含み、前記補助容量線と前記束ね配線とを導電層を介して電気的に接続する補助容量線連結部を含むことを特徴とする液晶表示装置である。
【手続補正５】
【補正対象書類名】明細書
【補正対象項目名】００１９
【補正方法】変更
【補正の内容】
【００１９】
請求項１１に係る発明は、基板上に配置されゲート電極領域を含む複数本の走査線及び前記走査線と略平行な補助容量線と、この上に配置されるゲート絶縁膜、少なくとも前記ゲート電極領域上に配置される半導体膜、前記半導体膜に電気的に接続されるソース電極及びドレイン電極とを含む薄膜トランジスタと、前記薄膜トランジスタ上に配置される層間絶縁膜と、前記ドレイン電極に電気的に接続されると共に前記走査線と略直交する信号線と、前記ソース電極と電気的に接続される画素電極とを備えたアレイ基板を有した液晶表示装置において、前記ゲート絶縁膜を介して前記補助容量線と略直交する方向に配線された束ね配線を含み、前記補助容量線と前記束ね配線とを導電層を介して電気的に接続する補助容量線連結部を含むことを特徴とする液晶表示装置である。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】